(57)【要約】【課題】複数チャンネルの番組を同時録画することが出来る機器であって、例えば同時録画可能な番組数よりも、提供可能な自動チャプター機能の数が少ない場合であっても、ユーザの取り扱いが便利となるように対処した番組編集装置及び番組編集方法を提供することを目的とする。【解決手段】ＨＤＤ２７０，２８０等を用いて、複数の番組を同時に録画する機能を有するテレビジョン放送受信装置１１１であって、録画される番組を複数のチャプターに分割するチャプター分割部２９０を備える。そして、同時に録画する番組のいずれかに対して選択的にチャプターの分割を実行するよう制御するチャプター分割制御部２６１ｄを備える。【選択図】  図２
2011035453.tif 000002
【特許請求の範囲】
【請求項１】
複数の番組データを受信する受信手段と、
少なくとも一つの記録媒体を用いて、受信する前記複数の番組を同時に録画するよう制御する録画手段と、
前記録画手段によって前記記録媒体に記録される番組を複数のチャプターに分割する分割手段とを備え、
前記分割手段によってチャプターの分割が同時に可能な番組の数は、前記同時に録画可能な番組の数よりも少なく、
前記同時に録画する番組のいずれかに対して選択的に前記分割手段によるチャプターの分割を実行するよう制御する分割制御手段と、
を備えることを特徴とする番組編集装置。
【請求項２】
前記同時に録画される番組の優先度を判定する優先度判定手段を更に備え、
前記分割制御手段は、前記優先度判定手段にて判定された番組の優先度に基づいて、前記同時に録画する番組のいずれかに対して選択的に前記分割手段によるチャプターの分割を実行するよう制御することを特徴とする請求項１に記載の番組編集装置。
【請求項３】
前記番組の優先度の設定をユーザに許可する優先度設定手段を更に備えることを特徴とする請求項２に記載の番組編集装置。
【請求項４】
前記番組の優先度は、前記同時に録画される各番組の放送チャンネル情報、ジャンル情報、番組説明情報、番組放送時間の少なくともいずれか一つを含む情報を用いて決定されることを特徴とする請求項２に記載の番組編集装置。
【請求項５】
複数の番組データを受信するステップと、
少なくとも一つの記録媒体を用いて、受信する前記複数の番組を同時に録画するよう制御するステップと、
前記録画手段によって前記記録媒体に記録される番組を複数のチャプターに分割するステップとを有し、
チャプターの分割が同時に可能な番組の数は、前記同時に録画可能な番組の数よりも少なく、
前記同時に録画される番組の優先順位を判定するステップと、
前記同時に録画する番組のいずれかに対して、前記優先順位に基づいて選択的にチャプターの分割を実行するよう制御するステップと、
を有することを特徴とする番組編集方法。
【発明の詳細な説明】
【技術分野】
【０００１】
この発明は、記録媒体に記録される映像データの編集機能を備えた番組編集装置及び番組編集方法に関する。
【背景技術】
【０００２】
近年、ＨＤＤ(Hard Disk Drive)やＤＶＤ(Digital Versatile Disk)等の記録媒体に映像及び音声のデジタルデータを記録し、記録されている映像データおよび音声データを読み取る記録再生機能を備えたデジタルテレビやＤＶＤレコーダなどの映像記録再生装置が普及している。
【０００３】
この種の映像記録再生装置は、ＨＤＤやＤＶＤに録画した番組の映像データについて、そのタイトル単位または部分領域であるチャプター単位で映像データを区切る編集機能を備えていることがある。これにより、ユーザーは番組再生の際に、番組の一部をチャプター単位で飛ばして視聴等することができる。また、チャプター単位で映像データの移動や結合を行うことにより、再生順序を入れ替える等を施せる編集機能を備えていることもある。
【０００４】
これらの編集機能を備えた映像記録再生装置（以下、番組編集装置と称する）では、録画した番組の映像データについて、チャプター単位の編集を行う場合、ＨＤＤに録画した番組をＤＶＤ−Ｒなどの光ディスクに保存版として録画する場合は、ＣＭ（コマーシャルメッセージ)等の本編とは関係ない映像データをカットして録画することがごく一般的な方法として行われている。
【０００５】
そして、番組の映像データが録画されつつ自動的にチャプター単位に分割される機能がある。この場合、番組編集装置は、例えば映像データのうちの音声のない無音声の箇所（無音状態）をエンコーダやデコーダ内の音声処理回路等で検出する無音声検出を行って、当該箇所をカットする手法を用いることがある。
【０００６】
例えば、特許文献１には、過去に行われた録画によって得られる映像データからチャプター分割情報としてのチャプター分割実績情報を収集し、チャプター分割を行う装置が開示されている。
【０００７】
ところで、上記したように、記録する番組を自動的に複数のチャプターに分割する機能（以下、自動チャプター機能とする。）は、ユーザーにとって非常に有用な機能である。しかし、記録する番組をリアルタイムに解析する必要があり、機器のリソース（ＣＰＵ、メモリ、ソフトウェアなど）に対する処理負荷が重くなる。また、複数番組を同時録画することが出来る機器の場合、上記リソースとの関係で、同時録画する全ての番組に対して自動チャプター機能を提供出来ない場合がある。
【先行技術文献】
【特許文献】
【０００８】
【特許文献１】特開２００８−１４１３８３号公報
【発明の概要】
【発明が解決しようとする課題】
【０００９】
この発明は上記事情を考慮してなされたもので、複数チャンネルの番組を同時録画することが出来る機器であって、同時録画可能な番組数よりも、提供可能な自動チャプター機能の数が少ない場合であっても、ユーザの取り扱いが便利となるように対処した番組編集装置及び番組編集方法を提供することを目的とする。
【課題を解決するための手段】
【００１０】
本発明の主な特徴は以下のとおりである。すなわち、本発明の番組編集装置は、複数の番組データを受信する受信手段と、少なくとも一つの記録媒体を用いて、受信する前記複数の番組を同時に録画するよう制御する録画手段と、前記録画手段によって前記記録媒体に記録される番組を複数のチャプターに分割する分割手段とを備え、前記分割手段によってチャプターの分割が同時に可能な番組の数は、前記同時に録画可能な番組の数よりも少なく、前記同時に録画する番組のいずれかに対して選択的に前記分割手段によるチャプターの分割を実行するよう制御する分割制御手段と、を備えることを特徴とする。
【００１１】
また、本発明の番組編集方法は、複数の番組データを受信するステップと、少なくとも一つの記録媒体を用いて、受信する前記複数の番組を同時に録画するよう制御するステップと、前記録画手段によって前記記録媒体に記録される番組を複数のチャプターに分割するステップとを有し、チャプターの分割が同時に可能な番組の数は、前記同時に録画可能な番組の数よりも少なく、前記同時に録画される番組の優先順位を判定するステップと、前記同時に録画する番組のいずれかに対して、前記優先順位に基づいて選択的にチャプターの分割を実行するよう制御するステップと、を有することを特徴とする番組編集方法。
【発明の効果】
【００１２】
本発明では、同時に録画する番組のいずれかに対して選択的にチャプター分割を実行するよう制御される。従って、同時録画可能な番組数よりも、提供可能な自動チャプター機能の数が少ない場合であっても適切にチャプター機能が割り当てられて番組録画が実行されるため、ユーザの取り扱いが便利となる。
【図面の簡単な説明】
【００１３】
【図１】本実施形態に係る番組編集装置の概観を示す図である。
【図２】本実施形態に係る番組編集装置の主要な信号処理系を示す図である。
【図３】本実施形態に係る番組編集装置の優先度判定の一例を説明する図である。
【図４】本実施形態に係る番組編集装置の動作例を示すフローチャート図である。
【発明を実施するための形態】
【００１４】
以下、この発明の最良の実施形態について、図面を参照しながら説明する。図１は、以下の実施形態で説明するテレビジョン放送受信装置１１１の外観の一例を概略的に示している。
【００１５】
テレビジョン放送受信装置１１１は、主として、薄型の筐体（以下、キャビネット１１２）と、このキャビネット１１２を起立させて支持する支持台１１３とから構成されている。キャビネット１１２には、例えば液晶表示パネルやプラズマパネル等を備えた平面パネル型ディスプレイである映像表示部１１４、一対のスピーカ１１５、操作部１１６、リモートコントローラ１１７から送信される操作情報を受けるリモコン受光部１１８等が設置されている。操作部１１６は、キャビネット１１２の前面ではなく側面に配置されていても構わない。
【００１６】
図２は、テレビジョン放送受信装置１１１の主要な信号処理系の一例を示している。すなわち、ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００１７】
そして、このチューナ２４５で選局された放送信号は、ＰＳＫ（Phase Shift Keying）復調器２４６に供給されてＴＳ(Transport Stream)が復調される。このＴＳは、ＴＳ復号器２４７に供給されてデジタルの映像信号、音声信号、データ信号等に復号化された後、信号処理部２４８に出力される。
【００１８】
地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００１９】
チューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理部２４８に出力される。
【００２０】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理部２４８に出力される。
【００２１】
信号処理部２４８は、テレビ視聴時には、ＴＳ復号器２４７およびＴＳ復号器２５３からそれぞれ供給されたデジタルの映像信号及び音声信号に対して、選択的に所定のデジタル信号処理を施し、グラフィック処理部２５４及び音声処理部２５５に出力している。
【００２２】
制御部２６１には、信号処理部２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御部２６１は、これら入力された情報からＥＰＧ，字幕を表示するため画像生成処理を行い、この生成した画像情報をグラフィック処理部２５４へ出力する。
【００２３】
グラフィック処理部２５４は、信号処理部２４８から供給されるデジタルの映像信号にＯＳＤ（On Screen Display）信号生成部２５７で生成されるＯＳＤ信号を重畳して出力する機能を有する。また、このグラフィック処理部２５４は、信号処理部２４８の出力映像信号と、ＯＳＤ信号生成部２５７の出力ＯＳＤ信号とを選択的に出力することや、両出力をそれぞれ画面の半分を構成するように組み合わせて出力することができる。
【００２４】
グラフィック処理部２５４から出力されたデジタルの映像信号は、映像処理部２５８に供給される。この映像処理部２５８は、入力されたデジタルの映像信号を、前記映像表示部１１４で表示可能なフォーマットのアナログ映像信号に変換した後、映像表示部１１４に出力して映像表示させるとともに、出力端子２５９を介して外部に導出させる。
【００２５】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２６】
また、テレビジョン放送受信装置１１１はＨＤＤ２７０を備え、いわゆるＨＤＤ内蔵テレビであって、ＨＤＤ２７０に対して番組データの記録を行なうことができる。また、制御部２６１の制御に基づいて、ＨＤＤ２７０に記録された番組を再生することも可能である。
【００２７】
また、テレビジョン放送受信装置１１１は種々のインターフェースを備えている。例えば、後述する制御部２６１は、カードＩ／Ｆ（Interface）２６５を介して、メモリカード１１９が装着可能なカードホルダ２６６に接続されている。これによって、制御部２６１は、カードホルダ２６６に装着されたメモリカード１１９と、カードＩ／Ｆ２６５を介して情報伝送を行うことができる。つまり、メモリーカード１１９に対して、番組データの記録を行うことも可能である。
【００２８】
また、別のインターフェースとしては例えばＵＳＢであってもよい。例えば、制御部２６１は、ＵＳＢ  Ｉ／Ｆ２７１を介してＵＳＢ端子１２３に接続されている。これにより、制御部２６１は、ＵＳＢ端子１２３に接続された機器（例えば、外付けＨＤＤ２８０）と、ＵＳＢ  Ｉ／Ｆ２７１を介して情報伝送することができる。つまり、外付けＨＤＤ２８０に対して、番組データの記録を行うことも可能である。
【００２９】
また、テレビジョン放送受信装置１１１は、チャプター分割部２９０を備えている。チャプター分割部２９０は、ＨＤＤ２７０やＨＤＤ２８０等の記録媒体に録画する番組のタイトル単位または部分領域であるチャプター単位で映像データを自動的に区切る編集機能（自動チャプター機能）を有している。なお、チャプター分割部２９０は、チャプター単位でデータの移動や結合を行うことにより、ユーザの希望に応じて再生順序を入れ替える等の編集処理を施す機能を更に含んでいてもよい。
【００３０】
また、テレビジョン放送受信装置１１１は、優先順位判定部２９１を備えている。優先順位判定部２９１は、同時に録画される番組に対する自動チャプター機能の割り当ての優先順位を少なくとも判定する。制御部２６１は、優先順位判定部２９１から供給された情報に基づいて、自動チャプター機能を各番組へ割り当てる。従って、自動チャプター機能がより必要とされると想定される番組に対して優先的に当該機能が割り当てられることになる。
【００３１】
このテレビジョン放送受信装置１１１は、上記した各種の動作（番組の受信動作や録画動作、録画した番組の再生）を含む動作を制御部２６１によって統括的に制御されている。この制御部２６１は、ＣＰＵ（Central Processing Unit）やマイコン等を内蔵しており、操作部１１６やリモートコントローラ１１７からの操作情報を受けて、その操作内容が反映されるよう各部をそれぞれ制御している。
【００３２】
制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを利用している。
【００３３】
また、制御部２６１には録画制御部２６１ｄが含まれる。録画制御部２６１ｄの制御に基づいて、受信した番組のデータは、所定の記録媒体に記録される。ここでいう所定の記録媒体は、ＨＤＤ２７０やメモリーカード１１９、ＨＤＤ２８０のいずれでもよいし、ＤＶＤレコーダに備えられたＤＶＤディスクやＨＤＤ等でもよい。なお、記録する番組は、地上波や衛星で放送される通常の番組に限らず、インターネット経由で受信する番組でもよいし、いわゆるワンセグ番組であってもかまわない。また、録画制御部２６１ｄは、リモートコントローラ１１７等で入力された録画予約情報に基づいて、目的の番組が放送開始となれば、予約された番組の録画が実行するよう制御する。
【００３４】
また、本実施形態に係る録画制御部２６１ｄでは、その制御に基づいて、複数の番組を同時に録画することができる。例えば、あるチャンネルで放送されている番組と、同一時間帯で別のチャンネルで放送されている番組とを同時に録画することが出来る。また、チューナー数を更に設けることで、２以上の番組を同時に録画することも可能である。
【００３５】
また、制御部２６１にはチャプター分割制御部２６１ｅが含まれている。チャプター分割制御部２６１ｅの制御に基づいて、同時に録画される番組のいずれかに対して選択的にチャプター分割部２９０による自動チャプター機能が実行される。
【００３６】
具体的には例えば以下に説明するように、チャプター分割制御部２６１ｅがチャプター分割部２９０を制御する。すなわち、チャプター分割制御部２６１ｅは、優先順位判定部２９１にて判定された番組の優先順位（自動チャプター機能を割り当てる優先順位）に基づいて、同時に録画する番組のいずれかに対して選択的に前記分割手段によるチャプターの分割を実行するよう制御する。
【００３７】
番組の優先順位は、同時に録画される各番組の放送チャンネル情報、ジャンル情報、番組説明情報、番組放送時間の少なくともいずれか一つを含む情報を用いて決定される。これらの情報は、例えば放送波に映像データや音声データ等と重畳して含まれる情報であり、ＲＯＭ２６１ａや２６１ｂ等に記憶される。
【００３８】
テレビジョン放送受信装置１１１は、自動チャプター機能を割り当てる番組の優先順位を決定するために用いるテーブル（ステータス）を少なくとも一つ記憶していることが好ましい。図３（ａ）〜（ｃ）は、当該テーブルの一例であり、図３（ａ）は番組の放送チャンネルと優先度とを対応付けたテーブル、図３（ｂ）は番組のジャンルと優先度とを対応付けたテーブル、図３（ｃ）は番組時間長（ｔ）と優先度を対応付けたテーブルである。
【００３９】
図３（ａ）のテーブルには、数種類に区分されたチャンネル名とそれぞれの優先度が対応付けられている。例えば、ある放送チャンネル（ここでは、ＨＨＫ）では、有料放送チャンネルや民放チャンネルに比べてＣＭが入らない番組を放送しているとする。また、有料放送チャンネルでは、上記ＨＨＫに比べればＣＭが入る番組を放送しているが、民放チャンネルに比べればＣＭが入らない番組を放送しているとする。また、民放チャンネルでは、上記ＨＨＫや有料放送チャンネルの両者と比べてＣＭが多く入る番組を放送しているとする。本実施形態では、ＣＭが放送途中に少ない番組に比べると、ＣＭが番組の途中に多く（あるいは細かく）入る番組に対しては、自動チャプター機能を割り当てる必要性が増すと想定する。番組再生の際に、チャプター単位でＣＭを飛ばして視聴等することができるし、ＣＭが放送途中に多い程、チャプター単位で再生順序を入れ替えることがユーザーにとって好ましい場合があるからである。従って本実施形態では、番組の優先度（ステータス値）を、ＨＨＫ、有料放送チャンネル、民放チャンネルの順に１、２、３と設定し、数が大きいほど自動チャプター機能を割り当てる優先順位を高く設定している。このように、番組のチャンネル情報から自動チャプター機能の割り当ての優先順位を設定することができる。
【００４０】
図３（ａ）のテーブルのみを用いても、優先順位判定部２９１は自動チャプター機能の割り当ての優先順位を判定することができるが、優先順位の判定の精度を向上させる観点からも、他の要素からの優先順位に係わる情報と組み合わせることが好ましい。そこで本実施形態では、図３（ｂ）（ｃ）のテーブルを図３（ａ）と組み合わせて用いている。
【００４１】
図３（ｂ）のテーブルには、番組のジャンル名とそれぞれの優先度が対応付けられている。放送波に含まれる番組情報にはジャンル情報が含まれている。ジャンルは、番組をニュース報道、スポーツ、情報ワイドショー、ドラマ、音楽、バラエティ、映画、ドキュメンタリー、教育、福祉、アニメなどあり、番組の内容で分類されたものである。また、これら大分類の中でも更に細かい分類分けされることがある。例えば、スポーツ（大分類）の中でもサッカー、野球、相撲など更に細かく分類（中分類）されている場合もある。例えば、スポーツの中でもサッカーの番組は、ハーフタイムの際にＣＭが集中的に含まれるが、試合中にＣＭが入ることは少ない。また、スポーツの中でも相撲の番組も、放送途中にＣＭが入ることは少ない。また、これら以外のジャンルでは、サッカー番組や相撲番組に比べてＣＭ数が多いとする。
【００４２】
上記のとおり、ＣＭが放送途中に少ない番組に比べると、ＣＭが番組の途中に多く（あるいは細かく）入る番組に対しては、自動チャプター機能を実行させる必要性が増す。従って本実施形態では、番組の優先度（自動チャプター機能の優先順位）を、スポーツ（サッカー）を１、スポーツ（相撲）を２、ニュース（定時）を３、その他のジャンルを４としている。このように、放送波に含まれる番組のジャンル情報も用いて自動チャプター機能の優先順位を設定することができる。
【００４３】
図２（ｃ）のテーブルには、番組時間長とそれぞれの番組の優先度が対応付けられている。放送波に含まれる番組情報には番組の放送時間長の情報が含まれている。例えば番組の放送時間長を基に、１５分以下の短い番組と、１５分より長く６０分未満の番組と、６０分以上の番組の３つに、放送時間を分類した場合を考える。放送時間が長い番組ほど、自動チャプター機能を実行させる必要性が増す。放送時間が長くなるほど、ＣＭの頻度が増すからである。従って、本実施形態では、番組の優先度について、１５分以下の短い番組を１、１５分より長く６０分未満の番組を２、６０分以上の番組を３としている。このように、番組の放送時間長の情報を用いて自動チャプター機能の優先順位を設定することができる。
【００４４】
なお、これらの優先度の設定は一例であり、他の情報（例えば、番組説明情報に含まれる出演者情報など）を用いることも可能である。
本実施形態では、優先順位判定部２６９が、上記３つのテーブルから得られた各優先度の値を用いてそれぞれの番組に対する自動チャプター機能の割り当ての優先順位を判定する。優先順位の判定の仕方としては、以下の２つの計算例がある。
【００４５】
第１の計算例について説明する。第１の計算例では、各番組に対する各テーブルの優先度の値（ステータス値）の総和を計算し、各番組の総和の値を比べることで優先順位を決定する。例えば、ある番組Ａが民放チャンネルであり、ジャンルがスポーツ（サッカー）であり、番組時間長（ｔ）が２時間とする。そうすると番組Ａの各テーブルの優先度の値の和は、３＋１＋３＝７となる。また、別の番組Ｂが有料放送チャンネルであり、ジャンルがニュース（定時）であり、番組時間長が１０分とする。そうすると、番組Ｂの各テーブルの優先度の値の和は、２＋３＋１＝６となる。従って、優先順位判定部２９１は、総和の大きい番組Ａが番組Ｂよりも優先順位が高いと判定する。従って、チャプター分割制御部２６１ｅの制御に基づいて、番組Ａと番組Ｂとが同時に録画される番組であって、自動チャプター機能がいずれか一つにしか割り当てられないという状況では、番組Ａに対して選択的にチャプター分割部２９０による自動チャプター機能が実行される。
【００４６】
第２の計算例について説明する。第２の計算例では、各テーブルに重み付け係数を設定しておく点が第１の計算例と異なる。例えば、チャンネルに対して重み付け係数を「５」、ジャンルに対して重み付け係数を「１」、番組時間長に対して重み付け係数を「２」とする。そうすると、番組Ａの各テーブルの優先度の値の和は、５×３（番組Ａのチャンネルテーブルにおける優先度の値）＋１×１（番組Ａのジャンルテーブルにおける優先度の値）＋２×４（番組Ａの番組時間長テーブルにおける優先度の値）＝２４となる。また、番組Ｂの各テーブルの優先度の値の和は、５×２（番組Ｂのチャンネルテーブルにおける優先度の値）＋１×３（番組Ｂのジャンルテーブルにおける優先度の値）＋２×１（番組Ｂの番組時間長テーブルにおける優先度の値）＝１５となる。従って、優先順位判定部２９１は、総和の大きい番組Ａが番組Ｂよりも優先順位が高いと判定する。従って、チャプター分割制御部２６１ｅの制御に基づいて、番組Ａと番組Ｂとが同時に録画される番組であって、自動チャプター機能がいずれか一つにしか割り当てられないという状況では、番組Ａに対して選択的にチャプター分割部２９０による自動チャプター機能が実行される。
【００４７】
また、上記各テーブルの情報（優先度の情報）はデフォルトとして予め記憶されていてもよいし、ユーザが任意に優先度を設定できる構成でもよい。つまり、リモートコントローラ１１７等の操作に応じて自動チャプター機能の割り当ての優先順位設定メニューを表示させ、例えばＨＨＫの優先度の値を民放よりも高めに設定できる構成であってもよい。
【００４８】
また、上記第１の計算例や第２の計算例にて総和が同じだった場合には、録画予約された順序で優先順位を判定してもよい。例えば、番組Ａと番組Ｂの上記総和が同じであり、番組Ａが番組Ｂよりも先に録画予約されていた場合には、番組Ａに対して選択的にチャプター分割部２９０による自動チャプター機能が実行されてもよい。
【００４９】
以上説明したように、本実施形態のテレビジョン放送受信装置１１１は、いくつかの要素（チャンネル情報やジャンル情報や番組放送時間長）のそれぞれを組み合わせて自動チャプター機能の割りあての優先順位を決定するように構成されている。このため、自動チャプター機能がより必要とされると想定される番組に対して適切に自動チャプター機能を割り当てることができる。
【００５０】
なお、上記の例では一つの自動チャプター機能を同時に録画される二つの番組のいずれかに割り当てる構成であった。しかし、一つの自動チャプター機能を同時に録画される三つの番組のいずれかに割り当てられてもよいし、二つの自動チャプター機能が同時に録画される三つの番組のいずれか二つに割り当てられてもよい。
【００５１】
次に、本実施形態に係るテレビジョン放送受信装置１１１のチャプター分割機能の割り当てに係る動作について、図４のフローチャートを参照して説明する。
まず、ユーザーが映像表示器１１４に表示された電子番組表を参照しながらリモートコントローラ１１７を操作して、録画したい番組のチャンネル、開始時刻、終了時刻などを含む録画予約情報を入力することによって、所望の番組（番組Ｘとする）が録画予約される（ステップ４０１）。録画予約情報は、例えば不揮発性メモリ２６１ｃに記憶される。
【００５２】
ここで、番組Ｘの放送時間と重なる時間帯に、他の番組の録画予約が既になされているかが制御部２６１の制御に基づいて判定される（ステップ４０２）。
番組Ｘの放送時間と重なる時間帯に、他の番組の録画予約が既になされていた場合（ステップ４０２のＹｅｓ）、「番組Ｘの放送時間と重なる時間帯における録画予約の総数が、チャプター機能が同時に実行可能な番組の数よりも多いか」が、制御部２６１（チャプター分割制御部２６１ｅ）の制御に基づいて判定される（ステップ４０３）。
【００５３】
次に、番組Ｘの放送時間と重なる時間帯において、番組Ｘのものを含めて録画予約の総数が、自動チャプター機能が同時に実行可能な番組の数よりも多かった場合（ステップ４０３のＹＥＳ）を考える。これは、同時録画する予定の全てに対しては自動チャプター機能を割り当てることが出来ない場合となる。この場合、優先順位判定部２９１の制御に基づいて、録画予約されている番組の自動チャプター機能の割り当ての優先順位が判定される（ステップ４０４）。優先順位判定部２９１は、例えば上述した第１の計算例や第２の計算例に基づいて、同時に録画予約されている各番組の優先度の値の総和を比べて、優先順位を判定する。
【００５４】
そして、自動チャプター機能が現在割り当てられている他の番組よりも、番組Ｘの優先順位が低い場合（ステップ４０４のＮｏ）、番組Ｘに対して自動チャプター機能は割り当てられず、自動チャプター機能が実行されない録画が実行されることになる（ステップ４０５）。なお、番組Ｘよりも優先順位が高い番組に対しては、自動チャプター機能が割り当てられて録画が実行されることになる。
【００５５】
また、番組Ｘの放送時間と重なる時間帯に、他の番組の録画予約がされていない場合（ステップ４０２のＮｏ）は、番組Ｘの放送時間と重なる時間帯における録画予約の総数が、自動チャプター機能が同時に実行可能な番組の数よりも少ないことになる。つまり、自動チャプター機能としては提供に余裕がある。そのため、番組Ｘに対して優先順位の判定を行わずに自動チャプター機能が割り当てられ、自動チャプター機能が実行される番組Ｘの録画が実行されることになる（ステップ４０６）。
【００５６】
また、番組Ｘの放送時間と重なる時間帯における録画予約の総数が、チャプター機能が同時に実行可能な番組の数よりも少ない場合も、自動チャプター機能としては提供に余裕がある。そのため、番組Ｘに対して自動チャプター機能は優先順位の判定を行わずに自動チャプター機能が割り当てられ、自動チャプター機能が実行される番組Ｘの録画が実行されることになる（ステップ４０６）。
【００５７】
また、番組Ｘが、現在自動チャプター機能が割り当てられていた他の番組よりも優先順位が高い場合（ステップ４０４のＹｅｓ）、他の番組に替わって番組Ｘに対して自動チャプター機能が割り当てられ、自動チャプター機能が実行される番組Ｘの録画が実行されることになる（ステップ４０６）。なお、この場合、他の番組に対しては自動チャプター機能が実行されずに録画される。
【００５８】
以上のように本実施形態のテレビジョン放送受信装置１１１では、同時に録画する番組のいずれかに対して選択的に自動チャプター機能を実行するよう制御される。従って、同時録画可能な番組数よりも、提供可能な自動チャプター機能の数が少ない場合であっても、適切に自動チャプター機能が割り当てられるため、ユーザの取り扱いが便利となる。
【００５９】
また、本実施形態では、優先度判定手段２９０にて判定された番組の優先度に基づいて、同時に録画する番組のいずれかに対して選択的に前記分割手段による自動チャプターの分割を実行するよう制御する。従って、自動チャプター機能が実行されることがより好ましい番組に対して適切に自動チャプター機能を割り当てて録画することができる。
【００６０】
また、本実施形態では、番組の優先度の設定をユーザが自由に変更することができる。従って、ユーザーの好みに沿って自動チャプター機能の割り当てがされるようになるため、ユーザーの利便性を更に向上させることができる。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１１１…テレビジョン放送受信装置、１１２…キャビネット、１１３…支持台、１１４…映像表示器、１１５…スピーカ、１１６…操作部、１１７…リモートコントローラ、１１８…受光部、１２３…ＵＳＢ端子、２４３…アンテナ、２４４…入力端子、２４５…チューナ、２４６…ＰＳＫ復調器、２４７…ＴＳ復号器、２４８…信号処理部、２４９…アンテナ、２５０…入力端子、２５１…チューナ、２５２…ＯＦＤＭ復調器、２５３…ＴＳ復号器、２５４…グラフィック処理部、２５５…音声処理部、２５６…チャンネル情報検出部、２５７…ＯＳＤ信号生成部、２５８…映像処理部、２５９…出力端子、２６０…出力端子、２６１…制御部、２６１ａ…ＲＯＭ、２６１ｂ…ＲＡＭ、２６１ｃ…不揮発性メモリ、２６１ｄ…録画制御部、２６１ｅ…チャプター分割制御部、２６５…カードＩ／Ｆ、２６６…カードホルダ、２６９…優先順位判定部、２７０…ＨＤＤ、２７１…ＵＳＢＩ/Ｆ、２８０…ＨＤＤ、２９１…優先順位判定部。
【図１】
2011035453.tif 000003
【図２】
2011035453.tif 000004
【図３】
2011035453.tif 000005
【図４】
2011035453.tif 000006